(57)【要約】【課題】ＨＤ−ＤＶＤにおいて、アドレス情報を用いて光ディスクを検査する。【解決手段】ＨＤ−ＤＶＤの光ディスク１０には、グルーブ及びランドの両方にデータが記録される。グルーブトラックにはグルーブ専用のＧトラックアドレス系が形成され、ランドトラックにはランド専用のＬトラックアドレス系が形成される。目標グルーブトラックがｎと確定している場合、当該グルーブトラックのＬトラックアドレス系のアドレス情報を読み出し、ｎ又はｎ−１であるか否かを判定する。読み出したアドレスがｎ又はｎ−１である場合には光ディスク１０は正常であり、そうでない場合には異常と判定する。【選択図】図１
2005317061.tif 000002
【特許請求の範囲】
【請求項１】
グルーブ及びランドをウォブルさせることでアドレス情報が埋め込まれ、前記アドレス情報は連続する２つのアドレス値の符号間距離が１となるグレーコードに変換されて埋め込まれた光ディスクのグルーブ及びランドにデータの記録あるいは再生を行う光ディスク装置であって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
グルーブトラックトレース時において、前記ランドトラックアドレス系のウォブルを再生してアドレス情報を読み出すアドレス読み出し手段と、
前記アドレス情報が所定の関係を満たす場合に前記ランドトラックアドレス系が正常と判定し、満たさない場合に前記ランドトラックアドレス系が異常と判定する判定手段と、
を有することを特徴とする光ディスク装置。
【請求項２】
請求項１記載の装置において、
前記判定手段は、前記グルーブトラックの確定アドレス情報がｎである場合に、前記ランドトラックアドレス系のアドレス情報がｎ又はｎ−１に一致する場合に前記所定の関係を満たすと判定する
ことを特徴とする光ディスク装置。
【請求項３】
グルーブ及びランドをウォブルさせることでアドレス情報が埋め込まれ、前記アドレス情報は連続する２つのアドレス値の符号間距離が１となるグレーコードに変換されて埋め込まれた光ディスクのグルーブ及びランドにデータの記録あるいは再生を行う光ディスク装置であって、
前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、
前記ランドトラックトレース時において、前記グルーブトラックアドレス系のウォブルを再生してアドレス情報を読み出すアドレス読み出し手段と、
前記アドレス情報が所定の関係を満たす場合に前記グルーブトラックアドレス系が正常と判定し、満たさない場合に前記グルーブトラックアドレス系が異常と判定する判定手段と、
を有することを特徴とする光ディスク装置。
【請求項４】
請求項３記載の装置において、
前記判定手段は、前記ランドトラックの確定アドレス情報がｎである場合に、前記グルーブトラックアドレス系のアドレス情報がｎ又はｎ＋１に一致する場合に前記所定の関係を満たすと判定する
ことを特徴とする光ディスク装置。
【発明の詳細な説明】
【技術分野】
【０００１】
本発明は光ディスク装置に関し、特にグルーブ及びランドを用いてデータの記録／再生を行う高密度の光ディスク装置に関する。
【背景技術】
【０００２】
近年、次世代ＤＶＤとしてＨＤ（Ｈｉ−Ｄｅｆｉｎｉｔｉｏｎ）−ＤＶＤが提案されている。ＨＤ−ＤＶＤにおいては、現行ＤＶＤのディスク構造を踏襲してＤＶＤとの互換性を確保しつつ、ＤＶＤ以上のさらなる高密度化を図っている。
【０００３】
ＨＤ−ＤＶＤの一つの特徴は、ランドとグルーブのいずれにも情報を記録するランド・グルーブ記録方式を採用した点にある。ランドトラック及びグルーブトラックをウォブル（蛇行）させ、このウォブルにアドレス情報を埋め込む。具体的には、位相変調を用いて０度の位相の波４個でビット「０」、１８０度の位相の波４個でビット「１」としてアドレス情報を表現する。同位相の波を４個と複数個設けるのは、冗長性によるアドレス情報検出精度の向上を図ったものである。なお、アドレス情報は、２進データをグレーコードに変換してウォブルに埋め込まれる。ここに、グレーコードとは、隣接する２進データの間の符号間距離、すなわち反転ビット数を１とするコードである。これにより、アドレス「０」は「００００００００」、アドレス１は「０００００００１」、アドレス「２」は「００００００１１」、アドレス「３」は「００００００１０」、アドレス「４」は「０００００１１０」等とグレーコードで表現される。
【０００４】
図４には、ＨＤ−ＤＶＤのウォブルが模式的に示されている。あるグルーブトラックは内周側ウォブルと外周側ウォブルがともに０度の「０」と、内周側ウォブル及と外周側ウォブルがともに１８０度の「１」から「０００１」とアドレス情報が埋め込まれ、次のグルーブトラックは同様に内周側ウォブルと外周側ウォブルがともに０度の「０」と、内周側ウォブル及と外周側ウォブルがともに１８０度の「１」から「００１１」とアドレス情報が埋め込まれる。一方、その間のランドトラックは、連続するグルーブトラックの反転ビット位置において内周側ウォブルと外周側ウォブルとが逆相となり（図中、位置１００位）ウォブル信号が特定されない。
【０００５】
そこで、ＨＤ−ＤＶＤでは、ランド、グルーブそれぞれのトラックアドレスを埋め込む専用領域を設け、トラック方向に沿ってずらせて形成している。これにより、ランドトラックのアドレス情報を読み出す場合、グルーブ専用領域は読み飛ばし、次のランド専用領域にあるトラックアドレスを読み出すようにしている。
【０００６】
図５には、ＨＤ−ＤＶＤのアドレス構成が模式的に示されている。図において、グルーブ専用領域は「Ｇトラックアドレス系」、ランド専用領域は「Ｌトラックアドレス系」として示されている。グルーブトラック及びランドトラックはそれぞれトラック方向に複数のセグメントに分割される。セグメントアドレスは、ディスクを１周する毎にリセットされるように規定されており、すなわちグルーブＮのセグメント１の隣にはランドＮのセグメント１が、さらにその隣にはグルーブＮ＋１のセグメント１が配置される。
【０００７】
グルーブＮのＧトラックアドレス系には同相ウォブルでアドレス「Ｎ」が埋め込まれ、隣接するランドＮのＬトラックアドレス系には同相ウォブルでアドレス「Ｎ」が埋め込まれる。したがって、グルーブトラックＮ（グルーブＮ）をトレースする場合にはセグメント及びＧトラックアドレス系のウォブル信号を再生し、ランドトラックＮ（ランドＮ）をトレースする場合にはセグメントの次にＧトラックアドレス系を飛び越してＬトラックアドレス系のウォブル信号を再生してアドレス情報を得る。
【０００８】
【特許文献１】「日経エレクトロニクス１０月１３日号」日経ＢＰ社，２００３年１０月１３日発行，ｐ１２６−１３４
【発明の開示】
【発明が解決しようとする課題】
【０００９】
このように、Ｇトラックアドレス系とＬトラックアドレス系を有しており、基本的にグルーブトレース時にはＧトラックアドレス系でアドレスを読み出し、ランドトレース時にはＬトラックアドレス系でアドレス情報を読み出すため、グルーブトレース時におけるＬトラックアドレス系、ランドトレース時におけるＧトラックアドレス系は用いられることがなく、無駄な領域となってしまう。
【００１０】
本発明の目的は、グルーブトレース時におけるＬトラックアドレス系、ランドトレース時におけるＧトラックアドレス系の情報も有効活用する光ディスク装置を提供することにある。
【課題を解決するための手段】
【００１１】
本発明は、グルーブ及びランドをウォブルさせることでアドレス情報が埋め込まれ、前記アドレス情報は連続する２つのアドレス値の符号間距離が１となるグレーコードに変換されて埋め込まれた光ディスクのグルーブ及びランドにデータの記録あるいは再生を行う光ディスク装置であって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、グルーブトラックトレース時において、前記ランドトラックアドレス系のウォブルを再生してアドレス情報を読み出すアドレス読み出し手段と、前記アドレス情報が所定の関係を満たす場合に前記ランドトラックアドレス系が正常と判定し、満たさない場合に前記ランドトラックアドレス系が異常と判定する判定手段とを有する。
【００１２】
また、本発明は、グルーブ及びランドをウォブルさせることでアドレス情報が埋め込まれ、前記アドレス情報は連続する２つのアドレス値の符号間距離が１となるグレーコードに変換されて埋め込まれた光ディスクのグルーブ及びランドにデータの記録あるいは再生を行う光ディスク装置であって、前記グルーブのアドレス情報は、前記グルーブを形成する内周側ウォブルと外周側ウォブルの位相が同一である同相ウォブルで規定されるグルーブトラックアドレス系と、前記グルーブを形成する内周側ウォブルと外周側ウォブルの位相が反転した逆相ウォブルを含んで規定されるランドトラックアドレス系の２つのアドレス系を含み、かつ、前記ランドのアドレス情報は、前記ランドを形成する内周側ウォブルと外周側ウォブルの位相が同一である同相ウォブルで規定されるランドトラックアドレス系と、前記ランドを形成する内周側ウォブルと外周側ウォブルの位相が反転した逆相ウォブルを含んで規定されるグルーブトラックアドレス系の２つのアドレス系を含み、前記ランドトラックトレース時において、前記グルーブトラックアドレス系のウォブルを再生してアドレス情報を読み出すアドレス読み出し手段と、前記アドレス情報が所定の関係を満たす場合に前記グルーブトラックアドレス系が正常と判定し、満たさない場合に前記グルーブトラックアドレス系が異常と判定する判定手段とを有する。
【００１３】
ＨＤ−ＤＶＤ光ディスクでは、図５に示されるように、グルーブトラックにはＧトラックアドレス系とＬトラックアドレス系が形成され、Ｌトラックアドレス系は逆相ウォブルを含むため１つのビット位置が不定であり、これを読み出すと逆相ウォブル位置は０又は１のいずれかとして読み出されることになる。グルーブトラックのアドレスが確定していると、当該グルーブトラックのＬトラックアドレス系の逆相ウォブル位置は一義的に特定され、したがってその逆相ウォブル位置の値を０又は１とした２つの可能なアドレス候補が得られることになる。Ｌトラックアドレス系が正常に形成されている場合には、これら２つの候補のいずれかの値に一致するはずであり、実際にＬトラックアドレス系のアドレス情報を読み出して候補に一致する場合には、Ｌトラックアドレス系が正常であり、ひいては光ディスクが正常であると判定できる。具体的には、グルーブトラックアドレスがｎである場合、当該グルーブトラックのＬトラックアドレス系の候補はｎ又はｎ−１であり、実際に読み出したアドレス情報がこれらの候補のいずれかに一致する場合に正常であると判定できる。ランドトラックトレース時も同様であり、ランドトラックにはＧトラックアドレス系とＬトラックアドレス系が形成され、Ｇトラックアドレス系は逆相ウォブルを含むため１つのビット位置が不定であり、これを読み出すと逆相ウォブル位置は０又は１のいずれかとして読み出される。ランドトラックのアドレスが確定していると、当該ランドトラックのＧトラックアドレス系の逆相ウォブル位置は一義的に特定され、したがってその逆相ウォブル位置の値を０又は１とした２つの可能なアドレス候補が得られることになる。Ｇトラックアドレス系が正常に形成されている場合には、これら２つの候補のいずれかの値に一致するはずであり、実際にＧトラックアドレス系のアドレス情報を読み出して候補に一致する場合には、Ｇトラックアドレス系が正常であり、ひいては光ディスクが正常であると判定できる。具体的には、ランドトラックアドレスがｎである場合、当該ランドトラックのＧトラックアドレス系の候補はｎ又はｎ＋１であり、実際に読み出したアドレス情報がこれらの候補のいずれかに一致する場合に正常であると判定できる。
【発明の効果】
【００１４】
本発明によれば、グルーブトラックにおけるＬトラックアドレス系を用い、ランドトラックにおけるＧトラックアドレス系を用いて光ディスクの適否を判定することができ、これらのアドレス系を有効活用できる。
【発明を実施するための最良の形態】
【００１５】
以下、図面に基づき本発明の実施形態について説明する。
【００１６】
図１には、本実施形態に係る光ディスク装置の全体構成図が示されている。光ディスク１０はスピンドルモータ（ＳＰＭ）１２により回転駆動される。スピンドルモータＳＰＭ１２は、ドライバ１４で駆動され、ドライバ１４はサーボプロセッサ３０により所望の回転速度となるようにサーボ制御される。本実施形態では、一例として、ドライバ１４は光ディスク１０を内周から外周の間で複数のゾーンに分割し、各ゾーンにおいて角速度一定（ＺＣＡＶ）となるように駆動する。
【００１７】
光ピックアップ１６は、レーザ光を光ディスク１０に照射するためのレーザダイオード（ＬＤ）や光ディスク１０からの反射光を受光して電気信号に変換するフォトディテクタ（ＰＤ）を含み、光ディスク１０に対向配置される。光ピックアップ１６はスレッドモータ１８により光ディスク１０の半径方向に駆動され、スレッドモータ１８はドライバ２０で駆動される。ドライバ２０は、ドライバ１４と同様にサーボプロセッサ３０によりサーボ制御される。また、光ピックアップ１６のＬＤはドライバ２２により駆動され、ドライバ２２はオートパワーコントロール回路（ＡＰＣ）２４により駆動電流が所望の値となるように制御される。ＡＰＣ２４は、光ディスク１０のテストエリア（ＰＣＡ）において実行されたＯＰＣ（Optimum Power Control）により選択された最適記録パワーとなるようにドライバ２２の駆動電流を制御する。ＯＰＣは、光ディスク１０のＰＣＡに記録パワーを複数段に変化させてテストデータを記録し、該テストデータを再生してその信号品質を評価し、所望の信号品質が得られる記録パワーを選択する処理である。信号品質には、β値やγ値、変調度、ジッタ等が用いられる。
【００１８】
光ディスク１０に記録されたデータを再生する際には、光ピックアップ１６のＬＤから再生パワーのレーザ光が照射され、その反射光がＰＤで電気信号に変換されて出力される。光ピックアップ１６からの再生信号はＲＦ回路２６に供給される。ＲＦ回路２６は、再生信号からフォーカスエラー信号やトラッキングエラー信号を生成し、サーボプロセッサ３０に供給する。サーボプロセッサ３０は、これらのエラー信号に基づいて光ピックアップ１６をサーボ制御し、光ピックアップ１６をオンフォーカス状態及びオントラック状態に維持する。
【００１９】
光ピックアップ１６は、光ディスク１０のグルーブ及びランドに対して記録／再生を行う。光ディスク１０には螺旋状にグルーブが形成されており、例えばグルーブ１→ランド１→グルーブ２→ランド２→グルーブ３→ランド３→・・等とグルーブとランド間で交互にデータを記録／再生する。あるいは、ゾーン毎にグルーブのみ記録／再生した後にランドに記録／再生する等、ゾーン毎にゾーン内のグルーブを全て記録／再生した後に同一ゾーン内のランドを記録／再生してもよい。また、ＲＦ回路２６は、再生信号に含まれるアドレス信号をアドレスデコード回路２８に供給する。アドレスデコード回路２８はアドレス信号から光ディスク１０のアドレスデータを復調し、サーボプロセッサ３０やシステムコントローラ３２に供給する。アドレスデータは、光ディスク１０のグルーブ及びランドにウォブルとして埋め込まれる。光ディスク１０は、アドレスデータとして、セグメントアドレス及びトラックアドレスを含む。アドレスデータは、位相変調され、０度の位相の波４個でビット値「０」、１８０度の位相の波４個でビット値「１」を表現し、グレーコードとして光ディスク１０に形成される。これら４個の同相の波は冗長系を構成する。
【００２０】
光ディスク１０のアドレスフォーマットは、既述したように２つのアドレス系から構成される。一方のアドレス系でグルーブトラックアドレスを常に検出し（Ｇトラックアドレス系）、他方のアドレス系でランドトラックアドレスを常に検出する（Ｌトラックアドレス系）。グルーブトラックにはＧトラックアドレス系とＬトラックアドレス系がトラック方向に沿って形成され、ランドトラックにもＧトラックアドレス系とＬトラックアドレス系がトラック方向に沿って形成される。グルーブトラックにおけるＧトラックアドレス系、及びランドトラックにおけるＬトラックアドレス系では常にウォブルが同相ウォブルとなるように調整されるため、再生信号に含まれるウォブル信号からアドレスを検出できる。
【００２１】
ＲＦ回路２６は、再生ＲＦ信号を２値化回路３４に供給する。２値化回路３４は、再生信号を２値化し、得られた信号をエンコード／デコード回路３６に供給する。エンコード／デコード回路３６では、２値化信号を復調及びエラー訂正して再生データを得、当該再生データをインタフェースＩ／Ｆ４０を介してパーソナルコンピュータなどのホスト装置に出力する。なお、再生データをホスト装置に出力する際には、エンコード／デコード回路３６はバッファメモリ３８に再生データを一旦蓄積した後に出力する。
【００２２】
光ディスク１０にデータを記録する際には、ホスト装置からの記録すべきデータはインターフェースＩ／Ｆ４０を介してエンコード／デコード回路３６に供給される。エンコード／デコード回路３６は、記録すべきデータをバッファメモリ３８に格納し、当該記録すべきデータをエンコードして変調データ（ＥＴＭ変調（Eight to Twelve Modulation））としてライトストラテジ回路４２に供給する。ライトストラテジ回路４２は、変調データを所定の記録ストラテジに従ってマルチパルス（パルストレーン）に変換し、記録データとしてドライバ２２に供給する。記録ストラテジは、例えばマルチパルスにおける先頭パルスのパルス幅や後続パルスのパルス幅、パルスデューティから構成される。記録ストラテジは記録品質に影響することから、通常はある最適ストラテジに固定される。ＯＰＣ時に記録ストラテジを併せて設定してもよい。記録データによりパワー変調されたレーザ光は光ピックアップ１６のＬＤから照射されて光ディスク１０にデータが記録される。データを記録した後、光ピックアップ１６は再生パワーのレーザ光を照射して当該記録データを再生し、ＲＦ回路２６に供給する。ＲＦ回路２６は再生信号を２値化回路３４に供給し、２値化されたデータはエンコード／デコード回路３６に供給される。エンコード／デコード回路３６は、変調データをデコードし、バッファメモリ３８に記憶されている記録データと照合する。ベリファイの結果はシステムコントローラ３２に供給される。システムコントローラ３２はベリファイの結果に応じて引き続きデータを記録するか、あるいは交替処理を実行するかを決定する。
【００２３】
このような構成において、グルーブにデータを記録／再生すべく、グルーブトラックをトレースしてアドレスデコード回路２８でアドレスを検出してシステムコントローラ３２に供給する場合、Ｇトラックアドレス系の４個の同相の波を検出してアドレス情報を検出できる。また、ランドにデータを記録／再生すべく、ランドトラックをトレースしてアドレスデコーダ回路２８でアドレスを検出してシステムコントローラ３２に供給する場合、Ｌトラックアドレス系の４個の同相の波を検出してアドレス情報を検出できる。グルーブトレース時におけるＬトラックアドレス系、及びランドトレース時におけるＧトラックアドレス系は用いられることはないが、これらにも同相ウォブルが含まれており（１ビットのみが逆相ウォブルにすぎない）、逆相ウォブル部分もあえて読み取ることでアドレス情報を読み取ることが可能である。
【００２４】
そこで、本実施形態では、グルーブトレース時においては、Ｇトラックアドレス系だけでなくＬトラックアドレス系も読み出し、Ｌトラックアドレス系のアドレス情報を用いて光ディスク１０自体の検査を行う。また、ランドトレース時において、Ｌトラックアドレス系だけでなくＧトラックアドレス系も読み出し、Ｇトラックアドレス系のアドレス情報を用いて光ディスク１０自体の検査を行う。
【００２５】
検査の基本原理は以下の通りである。すなわち、グルーブトレース時において、目標となるグルーブトラックアドレスが前のトラックアドレスとの連続性等から確定している場合、そのグルーブトラックにおけるＬトラックアドレス系の逆相ウォブル位置は特定され、その逆相ウォブル位置は０または１の値をとり得るから、当該Ｌトラックアドレス系のアドレス情報の候補が理論的に定まる。したがって、実際にＬトラックアドレス系からアドレス情報を読み出し、読み出したアドレス情報が理論的な候補に一致するか否かを判定し、一致していれば光ディスク１０は正常（すなわち、Ｌトラックアドレス系を規定する内周側ウォブルと外周側ウォブルが正しく形成されている）と判定し、一致しなければ光ディスク１０は異常（すなわち、Ｌトラックアドレス系を規定する内周側ウォブルと外周側ウォブルが正しく形成されていない）と判定する。ランドトレース時においても同様であり、目標となるランドトラックアドレスが前のトラックアドレスとの連続性等から確定している場合、そのランドトラックにおけるＧトラックアドレス系の逆相ウォブル位置は特定され、その逆相ウォブル位置は０または１の値をとり得るから、当該Ｇトラックアドレス系のアドレス情報の候補が理論的に定まる。したがって、実際にＧトラックアドレス系からアドレス情報を読み出し、読み出したアドレス情報が理論的な候補に一致するか否かを判定し、一致していれば光ディスク１０は正常（すなわち、Ｇトラックアドレス系を規定する内周側ウォブルと外周側ウォブルが正しく形成されている）と判定し、一致しなければ光ディスク１０は異常（すなわち、Ｇトラックアドレス系を規定する内周側ウォブルと外周側ウォブルが正しく形成されていない）と判定する。
【００２６】
以下、本実施形態の検査原理をより具体的に説明する。
【００２７】
図２には、ランド１、グルーブ２、ランド２、グルーブ３のＧトラックアドレス系、Ｌトラックアドレス系が具体的に示されている。なお、図では説明の都合上、上位ビットは省略し下位４ビットのみ示してある。
【００２８】
ランド１のＬトラックアドレス系はグレーコードの「０００１」であり、グルーブ２のＧトラックアドレス系はグレーコードの「００１１」であり、ランド２のＬトラックアドレス系のグレーコードは「００１１」であり、グルーブ３のＧトラックアドレス系のグレーコードは「００１０」である。グルーブ２のＬトラックアドレス系２００は、ランド１のＬトラックアドレス系とランド２のＬトラックアドレス系により規定され、「００×１」となる。ここで、×は逆相ウォブルであることを示す。ランド１のＬトラックアドレス系は「０００１」、ランド２のＬトラックアドレス系は「００１１」であるから、第２位ビットが逆相となるからである。「００×１」を読み出すと、×のところは本来的に不定であって０又は１として読み出されることになるから、グルーブ１のＬトラックアドレス系２００が正常に形成されていると仮定した場合、そのアドレスは×の部分を０とした「０００１」か、あるいは×の部分を１とした「００１１」のいずれかとなるはずである。すなわち、グルーブ２のＬトラックアドレス系２００の候補としては、「０００１」又は「００１１」となる。グルーブ２のトラックアドレスは「００１１」であるから、これを一般化してｎとすると、グルーブのＬトラックアドレス系は、ｎ−１またはｎであることになる。
【００２９】
同様に、ランド２のＧトラックアドレス系３００は、グルーブ２のＧトラックアドレス系とグルーブ３のＧトラックアドレス系により規定され、「００１×」となる。グルーブ２のＧトラックアドレス系は「００１１」、グルーブ３のＧトラックアドレス系は「００１０」であるから、最下位ビットが逆相となるからである。「００１×」を読み出すと、×のところは本来的に不定であって０又は１として読み出されることになるから、ランド２のＧトラックアドレス系３００が正常に形成されていると仮定した場合、そのアドレスは×の部分を０とした「００１０」か、あるいは×の部分を１とした「００１１」のいずれかとなるはずである。すなわち、ランド２のＧトラックアドレス系３００の候補としては、「００１０」又は「００１１」となる。ランド２のトラックアドレスは「００１１」であるから、これを一般化してｎとすると、ランドのＧトラックアドレス系は、ｎまたはｎ＋１であることになる。
【００３０】
以上より、グルーブトラックのアドレスがｎと確定している場合、当該グルーブトラックのＬトラックアドレス系の候補はｎ又はｎ−１と確定し、ランドトラックのアドレスがｎと確定している場合には、当該ランドトラックのＧトラックアドレス系の候補はｎ又はｎ＋１と確定することとなるから、実際に読み出したアドレスがこれらの候補と一致するか否かにより、アドレス系が正常に形成されているか否か、ひいては光ディスクが正常であるか否かを簡易に検査することができる。
【００３１】
図３には、本実施形態における検査処理のフローチャートが示されている。まず、システムコントローラ３２は、目標とするトラックアドレスが既に確定しているか否かを判定する（Ｓ１０１）。前のトラックとの連続性が維持されている等の場合には、前で読み出したトラックアドレスがそのまま目標トラックアドレスとなるから目標トラックアドレスが確定していると判定され、以下の処理に移行する。なお、目標トラックアドレスが確定していない場合には、アドレス候補が確定しないため以下の処理を実行しない。例えば、図２において、グルーブ２のアドレスが確定していない場合、グルーブ２のＧトラックアドレス系のアドレス情報を読み出すが、このアドレス情報が仮に誤りである場合、Ｌトラックアドレス系の候補にも誤りが含まれることとなり（トラックアドレスｎが誤りである場合、候補であるｎ又はｎ−１も誤りとなる）、本来はＬトラックアドレス系２００が正常に形成されているにもかかわらず異常と誤判定してしまうおそれがあるからである。なお、Ｓ１０１で目標トラックアドレスが確定していないと判定された場合の処理として、読み出したアドレス値をメモリに蓄え、確定条件が整った時点で、メモリに蓄えたアドレス情報が正常か異常かを判定する処理を実行するようにしてもよい。この処理を実行することにより、目標トラックアドレスが確定していないことで省略された判定処理を実行することが可能となり、光ディスクの検査精度を向上することができる。
【００３２】
目標トラックアドレスが確定しており（これをｎとする）、Ｓ１０１にてＹＥＳと判定された場合、次にグルーブトレース時であるかランドトレース時であるかを判定する（Ｓ１０２）。そして、グルーブトレース時である場合には、当該グルーブトラックのＬトラックアドレス系からアドレス情報を読み出してシステムコントローラ３２に供給し（Ｓ１０３）、システムコントローラ３２は、読み出したアドレス情報がｎ又はｎ−１に一致するか否かを判定する（Ｓ１０４）。Ｌトラックアドレス系のアドレスがｎ又はｎ−１に一致する場合には、Ｌトラックアドレス系が正しく形成されていることになるから、システムコントローラ３２は光ディスク１０が正常であると判定する（Ｓ１０５）。一方、Ｌトラックアドレス系のアドレスがｎ又はｎ−１に一致していない場合には、Ｌトラックアドレス系が正しく形成されていないことになるから、光ディスク１０は異常と判定する（Ｓ１０６）。
【００３３】
また、Ｓ１０３にてランドトレース時であると判定された場合、当該ランドトラックのＧトラックアドレス系からアドレス情報を読み出してシステムコントローラ３２に供給し（Ｓ１０７）、システムコントローラ３２は読み出したアドレス情報がｎ又はｎ＋１に一致するか否かを判定する（Ｓ１０８）。Ｇトラックアドレス系のアドレスがｎ又はｎ＋１に一致する場合には、Ｇトラックアドレス系が正しく形成されていることになるから、システムコントローラ３２は光ディスクが正常であると判定する（Ｓ１０５）。一方、Ｇトラックアドレス系のアドレスがｎ又はｎ＋１に一致していない場合には、Ｇトラックアドレス系が正しく形成されていないことになるから、光ディスク１０は異常と判定する（Ｓ１０９）。
【００３４】
なお、Ｓ１０６あるいはＳ１０９にて光ディスク１０が異常と判定された場合の処理は任意であるが、例えばデータの記録／再生を中止して光ディスク１０を排出する等の処理でもよい。
【図面の簡単な説明】
【００３５】
【図１】実施形態の全体構成図である。
【図２】実施形態の検査原理説明図である。
【図３】実施形態の検査処理フローチャートである。
【図４】光ディスク（ＨＤ−ＤＶＤ）のウォブル説明図である。
【図５】光ディスク（ＨＤ−ＤＶＤ）のトラックアドレス説明図である。
【符号の説明】
【００３６】
１０  光ディスク（ＨＤ−ＤＶＤ）、２８  アドレスデコード回路、３２  システムコントローラ。
【図１】
2005317061.tif 000003
【図２】
2005317061.tif 000004
【図３】
2005317061.tif 000005
【図４】
2005317061.tif 000006
【図５】
2005317061.tif 000007